(57)【要約】【課題】  利用者（子供など）が搭乗したカート（ショッピングカートなど）を乗載させ、当該カートに搭乗した利用者に、所定の遊戯動作（揺動など）を体感させることが可能な搭乗型遊戯装置を提供する。【解決手段】  子供が搭乗する乗物玩具部１０３を有するカート１００を乗載させる乗物遊具４と、乗物遊具４に乗載されたカート１００を当該乗物遊具４に固定するカート固定機構５と、カート固定機構５により固定されたカート１００が乗載された乗物遊具４を揺動する揺動機構３とを備える。なお、上記乗物玩具部１０３には、子供を固定するシートベルト及び係止具から成る固定具１０３ｃが設けられている。【選択図】  図１
2009273740.tif 000002
【特許請求の範囲】
【請求項１】
利用者が搭乗する搭乗部を有するカートを乗載させる乗載部材と、
前記乗載部材に乗載された前記カートを当該乗載部材に固定する固定機構と、
前記固定機構により固定された前記カートが乗載された前記乗載部材を駆動する駆動機構とを備えることを特徴とする搭乗型遊戯装置。
【請求項２】
前記カートには、利用者を前記搭乗部に固定する固定具が設けられていることを特徴とする請求項１に記載の搭乗型遊戯装置。
【請求項３】
前記乗載部材には、前記カートの車輪を収容して固定する車輪固定溝が形成されていることを特徴とする請求項１又は２に記載の搭乗型遊戯装置。
【請求項４】
前記駆動機構は、所定の基台上に定置されており、
前記乗載部材は、前記駆動機構によって前記基台の上方で駆動されることを特徴とする請求項１〜３のいずれか一項に記載の搭乗型遊戯装置。
【請求項５】
前記駆動機構は、所定の駆動装置により移動可能とされており、
前記乗載部材は、前記駆動機構によって移動することを特徴とする請求項１〜４のいずれか一項に記載の搭乗型遊戯装置。
【請求項６】
所定の遊戯演出を行う演出装置と、
前記演出装置が行う前記遊戯演出に対応した所定の遊戯動作を前記乗載部材に行わせるべく前記駆動機構の駆動を制御する遊戯処理手段とを更に備えることを特徴とする請求項１〜５のいずれか一項に記載の搭乗型遊戯装置。
【請求項７】
利用者が搭乗する搭乗部を有するカートを乗載させる乗載部材と、
前記乗載部材に乗載された前記カートを当該乗載部材に固定する固定機構と、
前記固定機構により固定された前記カートが乗載された前記乗載部材を駆動する駆動機構とを備える搭乗型遊戯装置に乗載されるカートであって、
前記固定機構と係合する係合部が形成されていることを特徴とするカート。
【発明の詳細な説明】
【技術分野】
【０００１】
本発明は、搭乗した利用者（子供など）に所定の遊戯動作（揺動など）を体感させる定置式或いは移動式の搭乗型遊戯装置に関し、特に、利用者が搭乗したカート（ショッピングカートなど）を乗載させ、当該カートに搭乗した利用者に、所定の遊戯動作を体感させることが可能な搭乗型遊戯装置に関する。
【背景技術】
【０００２】
従来、遊園地やショッピングセンターなどの遊戯施設に設置される遊戯装置として、搭乗した子供などの利用者に揺動などの所定の遊戯動作を体感させる定置式の搭乗型遊戯装置（例えば、特許文献１参照）が知られている。
【０００３】
具体的には、上記搭乗型遊戯装置では、自動車などを模った外観形状を有し、子供が着席する子供用座席を有する乗物玩具を備えており、所定の遊戯料金（例えば、１００円コインなど）が投入された場合などに所定時間に渡って上記乗物玩具を揺動させるなどの所定の遊戯動作を実行するようになっている。
【０００４】
また、最近のショッピングセンターなどでは、子供（幼児も含む）を搭乗させる乗物玩具部を備えたショッピングカート（例えば、特許文献２参照）を導入する店舗が増加しつつある。
【０００５】
具体的には、上記ショッピングカートは、自動車や列車などの乗物の操縦席を模った外観形状を有し、子供を着席させる子供用座席や、子供を固定するシートベルト及び係止具から成る固定具や、擬似操縦用のハンドルや、各種操作ボタンなどを有する乗物玩具部を備えており、乗物玩具部に子供を搭乗させて当該子供にハンドルや各種操作ボタンの操作遊戯を行わせておくことで保護者（親など）の子供に対する保護負荷を軽減させるようになっている。
【０００６】
ところで、上記ショッピングカートに搭乗した子供に上記搭乗型遊戯装置での遊戯を体感させる場合には、保護者は、ショッピングカートのシートベルトを外し、子供を乗物玩具部から外に出し、搭乗型遊戯装置の子供用座席に着席させて当該搭乗型遊戯装置のシートベルトを着けるなどの遊戯開始前作業を行うとともに、遊戯が終了した場合には、上述の遊戯開始前作業の反対の作業を行う必要があったため、保護者にとっては煩わしい作業を要し、使い勝手が悪いなどの問題点があった。
【０００７】
また、保護者が同乗できるタイプの搭乗型遊戯装置において、上記ショッピングカートの乗物玩具部から外に出した子供とともに保護者が当該搭乗型遊戯装置に搭乗する場合には、保護者はショッピングカートの状態を気にする必要があり、これによっても使い勝手が悪いなどの問題点があった。
【０００８】
なお、ベビーカートなど、上記ショッピングカート以外のカートに搭乗した子供に上記搭乗型遊戯装置での遊戯を体感させる場合においても、同様の上記問題点が発生するものである。
【０００９】
また、この種の搭乗型遊戯装置では、所定の遊戯料金（１００円コイン）の投入を待ち受ける待機状態において座席上で土足で遊ぶ子供が多いことや、屋外に設置されるケースが多いことなどから、座席部分が損傷し易いなどの問題点があるとともに、上記損傷を放置しておくと利用客が減ってしまうことから修理を頻繁に行うことでメインテナンス費用が嵩むなどの問題点があった。
【特許文献１】特開平７−９８７８２号公報
【特許文献２】特許第３４９２３３４号公報
【発明の開示】
【発明が解決しようとする課題】
【００１０】
本発明は、上述の問題に鑑みてなされたものであり、下記のいずれか一以上の目的を達成するものである。
【００１１】
即ち、本発明の目的は、利用者（子供など）が搭乗したカート（ショッピングカートなど）を乗載させ、当該カートに搭乗した利用者に、所定の遊戯動作（揺動など）をカートから下載（下車）することなく体感させることが可能な搭乗型遊戯装置を提供することにある。
【００１２】
本発明の他の目的は、カートに搭乗した利用者（子供など）に遊戯を行わせる場合の保護者（親など）の負担を軽減することが可能な搭乗型遊戯装置を提供することにある。
【００１３】
本発明の他の目的は、利用者（子供や保護者など）が着席する座席や利用者を座席に固定する固定具などを省略することが可能な搭乗型遊戯装置を提供することにある。
【００１４】
本発明の他の目的は、保護者（親など）が同乗しなくてもカートに搭乗した利用者（子供など）に安全に所定の遊戯動作を体感させることが可能な搭乗型遊戯装置を提供することにある。
【課題を解決するための手段】
【００１５】
本発明は、上記問題を解決したものであり、
利用者が搭乗する搭乗部を有するカートを乗載させる乗載部材と、
前記乗載部材に乗載された前記カートを当該乗載部材に固定する固定機構と、
前記固定機構により固定された前記カートが乗載された前記乗載部材を駆動する駆動機構とを備えることを特徴とする搭乗型遊戯装置（請求項１）である。
【００１６】
本発明の利用者は、カートの搭乗部に搭乗する幼児を含む子供などのことであり、本発明のカートは、ショッピングカート、ベビーカート、チャイルドカート、ベビーバギー、乳母車等であり、本発明の搭乗部は、上記カートに形成された子供を搭乗させる部分のことであり、例えば、座部及び背もたれ部から成る子供用の座席などである。
【００１７】
本発明の乗載部材は、上記カートを乗載させるための種々様々な材質及び形状から成る部材のことであり、例えば、利用者（子供や保護者など）が着席する座席や利用者を座席に固定する固定具などを省略したシンプルな形状の乗載部材などである。
【００１８】
本発明の固定機構は、上記乗載部材に乗載されたカートの乗載部材上での移動、又は、乗載部材からの落下を防止するための種々様々な固定機構のことであり、電磁式或いは電動式によって自動的に乗載部材に乗載されたカートを当該乗載部材に固定する自動固定機構や、保護者などの手動によって乗載部材にカートを固定させる手動固定機構などである。
【００１９】
本発明の駆動機構は、上記乗載部材を駆動することで、乗載部材を揺動、前進、後進、昇降等させるための種々様々な駆動機構のことであり、例えば、後述の揺動機構や牽引機構などである。
【００２０】
本発明によれば、利用者（子供など）が搭乗したカートを乗載させ、当該カートに搭乗した利用者が乗載部材上での揺動等を楽しむことが可能な搭乗型遊戯装置を提供することができる。これにより、カートに搭乗した利用者（子供など）に遊戯を行わせる場合の保護者の負担を軽減することができ、その結果、従来より搭乗型遊戯装置の稼働率の向上を図ることが可能となる。また、利用者（子供や保護者など）が着席する座席や利用者を座席に固定する固定具などを省略することができ、その結果、安価に搭乗型遊戯装置を製造できるとともに、メインテナンス費用を低減させることが可能となる。
【００２１】
また、本発明によれば、保護者が同乗しなくてもカートに搭乗した利用者に安全に揺動等の動作を体感させることが可能な搭乗型遊戯装置を提供することができる。即ち、保護者は、カートと子供の両方を同位置にて監視することができるので、カートに搭乗した子供に遊戯を行わせたい保護者にとって使い勝手の良い搭乗型遊戯装置を提供することができる。
【００２２】
更に、本発明によれば、カートに子供を搭乗させる場合、保護者はそのカートに付与されているシートベルトなどの固定具を使用する確率が高いことや、カートの搭乗部が子供を収容する形状になっていることなどから、従来のように、子供だけが搭乗できる搭乗型遊戯装置において、シートベルトの着用を怠り危険が発生する虞があったなどの問題点を解消することができる。
【００２３】
本発明では、前記カートには、利用者を前記搭乗部に固定する固定具が設けられていること（請求項２）が好ましい。
【００２４】
本発明によれば、カートに備わるシートベルト及び係止具から成る固定具などにより利用者をカートの搭乗部に固定することができるので、乗載部材に乗載されたカートに搭乗した利用者の安全を確保することが可能である。また、搭乗型遊戯装置側の利用者を固定する固定具を省略することが可能である。
【００２５】
本発明では、前記乗載部材には、前記カートの車輪を収容して固定する車輪固定溝が形成されていること（請求項３）が好ましい。
【００２６】
本発明によれば、カートが車輪の作用によって乗載部材の乗載面上で移動するのを防ぐことができる。
【００２７】
本発明では、前記駆動機構は、所定の基台上に定置されており、前記乗載部材は、前記駆動機構によって前記基台の上方で駆動されるものとすること（請求項４）が好ましい。
【００２８】
本発明の駆動機構は、公知の揺動機構や昇降機構などであり、例えば、揺動機構なら、上記乗載部材を支持及び上下方向に駆動するための１又は複数の駆動軸と、その駆動軸を駆動させる駆動装置（回動モータ）などから構成されるものである。
【００２９】
本発明によれば、搭乗した利用者に、定位置にて自動車、飛行機、船、動物等の移動体が移動を行う際の揺動感を体感させることが可能な定置式の搭乗型遊戯装置を提供できる。
【００３０】
本発明では、前記駆動機構は、所定の駆動装置により移動可能とされており、前記乗載部材は、前記駆動機構によって移動するものとすること（請求項５）が好ましい。
【００３１】
本発明の駆動機構は、公知の牽引機構などであり、例えば、カートを乗載して移動できる乗載部材を所定の軌道部材上で牽引することができる車両装置などで構成されるものである。
【００３２】
本発明によれば、搭乗した利用者に、自動車、飛行機、船、動物等の移動体が前進及び／又は後進を行う際の前進感及び／又は後進感を体感させることが可能な移動式の搭乗型遊戯装置を提供できる。
【００３３】
本発明では、所定の遊戯演出を行う演出装置と、前記演出装置が行う前記遊戯演出に対応した所定の遊戯動作を前記乗載部材に行わせるべく前記駆動機構の駆動を制御する遊戯処理手段とを更に備えること（請求項６）が好ましい。
【００３４】
本発明の演出装置とは、視覚、聴覚、嗅覚、触覚等を刺激する種々様々な演出装置のことであり、例えば、演出画像を表示する表示装置や、点滅或いは点灯などの演出照明を行う照明装置や、演出音を出力する音響装置や、演出芳香（香り・匂い）を発生する芳香発生装置や、振動を発生する振動装置、またスモークを発生させる、シャボン玉を飛ばす、風を送るなどの各種の特殊演出装置などが挙げられる。
【００３５】
本発明によれば、カートに搭乗した利用者に、演出装置の遊戯演出に応じた遊戯動作を体感させることができる。例えば、搭乗型遊戯装置が自動車を模った乗物玩具であり、駆動装置が揺動装置であり、演出装置が表示装置である場合には、表示装置に表示させた道路画像の進路の変更（例えば、右カーブなどの）に対応した揺動（例えば、右下方に傾く動作）を行わせるべく揺動装置の揺動を制御することにより、搭乗した利用者によりリアリティ感や臨場感を体感させることが可能になる。
【００３６】
また、本発明は、
利用者が搭乗する搭乗部を有するカートを乗載させる乗載部材と、
前記乗載部材に乗載された前記カートを当該乗載部材に固定する固定機構と、
前記固定機構により固定された前記カートが乗載された前記乗載部材を駆動する駆動機構とを備える搭乗型遊戯装置に乗載されるカートであって、
前記固定機構と係合する係合部が形成されていることを特徴とするカート（請求項７）である。
【００３７】
本発明によれば、搭乗型遊戯装置の乗載部材に乗載され、固定機構により固定されるカートを提供することが可能になる。
【発明を実施するための最良の形態】
【００３８】
以下、本発明の実施形態について添付図面を参照して詳細に説明する。
【００３９】
なお、本発明は、利用者（幼児を含む子供など）が搭乗したカート（ショッピングカート、ベビーカート、チャイルドカート、ベビーバギー、乳母車等）を乗載させ、当該カートに搭乗した利用者に、所定の遊戯動作（揺動、前進及び／又は後進、昇降等）を体感させることが可能な定置式或いは移動式の搭乗型遊戯装置であるが、以下の実施形態では、ショッピングセンターなどに常備されるショッピングカートを乗載可能な定置式の搭乗型遊戯装置を例にして説明する。
【００４０】
図１は、本発明の１実施形態に係る定置式の搭乗型遊戯装置１の外観構成を示す斜視説明図であり、図１の（ａ）及び（ｂ）は、それぞれ前方右斜め上方、後方斜め上方から見た場合の搭乗型遊戯装置１の外観構成を示している。また、図２は、搭乗型遊戯装置１の側面視説明図であり、この場合には、ショッピングカート（以下、単に「カート」という）１００が乗載された状態を示している。
【００４１】
図示されるように、この搭乗型遊戯装置１は、後述のメイン制御装置１０や電源装置３０などが収容される基台２と、基台２の上方に配置される揺動機構３と、揺動機構３により支持及び揺動される乗物遊具（乗載部材）４と、乗物遊具４に乗載されたカート１００を当該乗物遊具４に固定するカート固定機構５と、通信ケーブルなどを介して上記メイン制御装置１０と電気的に接続される操作装置６と、カート１００を乗物遊具４に案内するためのカート案内台７とを主体に構成されている。
【００４２】
揺動機構３は、公知構成の揺動機構であり、例えば、乗物遊具４を支持及び上下方向に駆動するための１又は複数の駆動軸と、その駆動軸を駆動させる回動モータなどを含む駆動装置から構成される（図５参照）。
【００４３】
本実施形態の乗物遊具４は、自動車の形状を有し、基台２から所定距離上方に離間した状態で、揺動機構３の駆動により上下運動（ピッチング）や回転運動（ローリング）などの運動を行う揺動部材である。
【００４４】
乗物遊具４は、自動車のフロア部分のボディ及び後輪を模ったフロアボディ４Ａと、自動車のフロント部分のボディ及び前輪を模ったフロントボディ４Ｂとを主体に構成されている。
【００４５】
フロアボディ４Ａは、カート１００を乗載させるカート乗載面４ａを有し、子供が着席する座席や子供を座席に固定する固定具などを省略したシンプルな形状となっている。なお、このフロアボディ４Ａでは、偽車輪が形成されているが、より単純化する目的で偽車輪を省略しても良い。
【００４６】
カート乗載面４ａには、カート１００の下方の前方及び後方にそれぞれ二つずつ取り付けられた計四つのキャスター（登録商標）（以下、単に「車輪」という）１０１をそれぞれ個別に収容して固定する前方及び後方にそれぞれ二つずつ形成された計四つの車輪固定溝４１と、前方二つの車輪固定溝４１に前方二つの車輪１０１をそれぞれ個別に案内するための二つの車輪案内溝４２とが形成されている。
【００４７】
各車輪固定溝４１は、一つの車輪１０１を収容できる程度の空間が形成された収容スペース４１ａと、収容スペース４１ａに対し車輪１０１を転動させながら出入りさせるための出入通路４１ｂとが形成されており、収容スペース４１ａに収容された車輪１０１の前方、左方及び右方への移動を抑制するようにされている。
【００４８】
また、本実施形態では、上記二つの車輪案内溝４２にそれぞれ連設される態様で二つの車輪案内溝７１がカート案内台７に形成されている。なお、上記以外にも、後方二つの車輪固定溝４１に後方二つの車輪１０１をそれぞれ個別に案内するための二つの車輪案内溝４２及び車輪案内溝７１を追加的に設けることもできる。
【００４９】
また、本実施形態では、各車輪固定溝４１にそれぞれ車輪１０１が収容されているか否かを検知するための位置検知センサ４３が各収容スペース４１ａに設けられている。例えば、位置検知センサ４３は、電圧が加えられた場合に赤外線などの光を発する発光素子と、光を受けた場合に電流などの検知信号を出力する受光素子などで構成され、後述の入力基板１４に検知信号を出力するものである。
【００５０】
本実施形態のカート固定機構５は、乗物遊具４に乗載されたカート１００が当該乗物遊具４の揺動中に、カート乗載面４ａ上で移動したり、外部に落下するのを防止するためにカート１００を乗物遊具４に固定するものである。
【００５１】
このカート固定機構５は、例えば、台座フレーム１０２ａに形成された後述の係合部１０６と係合する係合部材５１と、係合部材５１を回動モータによって駆動される駆動軸５２ａにより上下方向に駆動する機構であって、係合部材５１の上記駆動軸５２ａの軸周りの回転を禁止しつつ、係合部材５１の上下方向の移動のみを可能とする駆動機構５２とを備えている。
【００５２】
なお、本実施形態では、台座フレーム１０２ａの前方部分及び左側方部分の係合部１０６とそれぞれ係合する二つのカート固定機構５を備えている。
【００５３】
フロントボディ４Ｂは、上記カート乗載面４ａの前方端で上方に垂設され、カート１００に搭乗した子供と向かい合うように配置されるインタフェース面４ｂ｛図１（ｂ）参照｝を有しており、このインタフェース面４ｂには、各種演出画像を表示する表示装置４４の表示画面４４ａと、各種演出音声を出力するスピーカ４５のスピーカ口４５ａと、後述の表示装置６３で表示する遊戯中の子供の監視画像を撮影するカメラ装置４６の撮影口４６ａなどが配置されている。
【００５４】
図３は、本実施形態に係るカート１００の外観構成を示す斜視説明図であり、この場合には、前方右斜め上方から見た場合のカート１００の外観構成を示している。
【００５５】
図示されるように、このカート１００は、４つの車輪１０１と、台座フレーム１０２ａ、支持フレーム１０２ｂ及びハンドルレバー１０２ｃから成る本体フレーム１０２と、乗物玩具部１０３などを主体に構成される。なお、上記本体フレーム１０２には、ショッピングセンターなどに常備される買い物カゴＢを支持するカゴ支持部材１０４と、子供の安全を守るサイドバー１０５なども連結されている。
【００５６】
なお、乗物玩具部１０３は、現実の自動車や列車などの乗物の操縦席を模った形状を有しており、子供が出入りする扉部１０３ａや、子供が着席する子供用座席１０３ｂや、子供用座席１０３ｂに子供を固定するシートベルト及び係止具から成る固定具１０３ｃや、擬似操縦用のハンドル１０３ｄ及び各種操作ボタン（不図示）などを備えているとともに、子供に人気のあるアニメや戦隊ヒーローなどのキャラクタ人形１０３ｅなどが取り付けられている。
【００５７】
また、本実施形態の台座フレーム１０２ａには、上記カート固定機構５と係合するための係合部１０６が形成されている。この係合部１０６は、上記カート固定機構５の係合部材５１を嵌合するため他の嵌合しない部分より若干径が小さくされたフレーム部分である。
【００５８】
即ち、このカート１００は、このカート１００が設置されるショッピングセンターなどに買い物に来た客（以下、保護者という）に使用されるものであり、保護者により乗物玩具部１０３に子供が搭乗させられるとともに、カゴ支持部材１０４に買い物カゴＢが支持され、保護者によりハンドルレバー１０２ｃが把持されて手押しされることにより移動することができるカートである。
【００５９】
図４は、本実施形態に係る操作装置６の正面右斜め上方から見た場合の外観構成を示す斜視説明図であり、この場合には、前方右斜め上方から見た場合の操作装置６の外観構成を示している。
【００６０】
図示されるように、本実施形態の操作装置６は、基台２上に設置されており、保護者による各種操作を受け付けるための保護者用のインタフェース装置である。そして、操作装置６の正面には、所定の遊戯料金（１００円コイン）を投入するためのコイン投入口６１ａと、硬貨を返却させるための返却ボタン６２ａと、種々の画像を表示するタッチパネル式の表示装置６３の表示操作画面６３ａと、専用のゲームカードのカード情報を読み取るカードリーダ６４のカード読取口６４ａと、専用のゲームカードを払い出すカードベンダ６５のカード払出口６５ａと、印刷装置６６で印刷された写真（遊戯中の子供の監視画像を印刷した写真）を排出する写真排出口６６ａと、コインを返却するコイン返却口６７ａなどが配置されている。
【００６１】
例えば、本実施形態では、所定の遊戯料金（１００円コイン）の投入を待ち受ける待機状態において、「コイン投入→カートの車輪を車輪固定溝に正しく収容→カート自動固定→カード排出→カードスキャン→遊戯開始」などの遊戯開始手順を説明する操作説明画像を表示操作画面６３ａに表示させるとともに、遊戯実行状態において、カメラ装置４６の撮影に従って遊戯中の子供の監視画像を表示する子供画像表示部６３ｂと、遊戯（特に、揺動）を一時停止させる休憩ボタン６３ｃと、遊戯を強制的に終了させる終了ボタン６３ｄと、写真を印刷する場合に用いられる印刷ボタン６３ｅなどを表示操作画面６３ａに表示させる。
【００６２】
図５は、搭乗型遊戯装置１のハードウェア構成を示す説明図であり、特に、基台２及び乗物遊具４及び操作装置６の筐体に内蔵されるハードウェア構成を示している。
【００６３】
図示されるように、この搭乗型遊戯装置１は、基台２の筐体に内蔵されるメイン制御装置１０及び電源装置３０と、基台２と乗物遊具４との間に配置される揺動機構３と、乗物遊具４の筐体に内蔵される表示装置４４、スピーカ４５及びカメラ装置４６と、乗物遊具４の筐体内及び筐体外にそれぞれ部分的に内蔵及び取り付けられるカート固定機構５及び位置検知センサ４３と、操作装置６の筐体に内蔵されるサブ制御装置２０、コイン処理装置６１、表示装置６３、カードリーダ６４、カードベンダ６５等とを備えている。
【００６４】
ここで、メイン制御装置１０は、メイン制御基板１１、揺動制御基板１２、駆動制御基板１３、入力基板１４、画像処理基板１５、音声処理基板１６、撮影制御基板１７、記憶装置１８、インタフェース基板１９等を備えている。
【００６５】
メイン制御基板１１は、ＣＰＵ、ＲＡＭ、ＲＯＭ等を備え、システムバスや通信ケーブル等を介して他の構成要素と制御信号やデータ信号等の受け渡しを行って搭乗型遊戯装置１の動作を統括的に制御する。具体的には、ＣＰＵがＲＯＭに格納されたシステムプログラムや、記憶装置１８に格納された遊戯プログラムＰをＲＡＭ上に展開し、その遊戯プログラムＰに基づいて各基板などにそれぞれ所定の制御信号を送信する。
【００６６】
揺動制御基板１２は、ＣＰＵ、ＲＡＭ、ＲＯＭ、駆動回路等を備え、ＲＯＭに格納された揺動制御プログラムをＲＡＭ上に展開し、メイン制御基板１１からの制御信号に基づいて駆動装置の回動モータの回転制御を行う。
【００６７】
駆動制御基板１３は、ＣＰＵ、ＲＡＭ、ＲＯＭ、駆動回路等を備え、ＲＯＭに格納された駆動制御プログラムをＲＡＭ上に展開し、メイン制御基板１１からの制御信号に基づいてカート固定機構５の回動モータの回動制御を行う。
【００６８】
入力基板１４は、位置検知センサ４３からの検知信号を入力してメイン制御基板１１に受け渡すためのインタフェース基板である。
【００６９】
画像処理基板１５は、画像デコーダ、ＧＰＵ、ディスプレイコントローラ等を備え、メイン制御基板１１からの制御信号に基づいて表示画面４４ａに表示する遊戯演出用の画像の描画処理を実行し、表示装置４４に画像を表示させる。なお、遊戯演出用の画像としては、例えば、乗物遊具４が走行すると想定された仮想道路及びその背景などを含む画像とすることができる。また、表示画面４４ａは、液晶ディスプレイやＣＲＴなどの任意の表示装置により構成することが可能である。
【００７０】
音声処理基板１６は、メイン制御基板１１からの制御信号に基づいて合成される遊戯演出用の音声をスピーカ４５において出力させる。なお、遊戯演出用の音声としては、例えば、ＢＧＭや、上記遊戯演出用の画像の表示の切り替えに合わせて変化する自動車の走行音や、特定のキャラクタの音声などとすることができる。
【００７１】
撮影制御基板１７は、メイン制御基板１１からの制御信号に基づいてカメラ装置４６の撮影のＯＮ／ＯＦＦを制御する。なお、本実施形態のカメラ装置４６は、例えば、ディジタル式のビデオカメラなどで構成される。
【００７２】
記憶装置１８は、この搭乗型遊戯装置１における所定の遊戯を実行するための上記遊戯プログラムＰや表示装置４４に表示する遊戯演出画像の画像データなどを格納する記憶媒体であり、ハードディスク、フラッシュメモリなどで構成することができる。
【００７３】
インタフェース基板１９は、メイン制御基板１１とサブ制御基板２１との間で制御信号やデータ信号などの受け渡しを行うインタフェース基板である。
【００７４】
また、サブ制御装置２０は、サブ制御基板２１、画像処理基板２２、入出力基板２３、印刷制御基板２４、記憶装置２５、インタフェース基板２６等を備えている。
【００７５】
サブ制御基板２１は、ＣＰＵ、ＲＯＭ、ＲＡＭ等を備え、システムバスや通信ケーブル等を介して他の構成要素と制御信号やデータ信号等の受け渡しを行って操作装置６の動作を統括的に制御する。
【００７６】
画像処理基板２２は、画像デコーダ、ＧＰＵ、ディスプレイコントローラ等を備え、サブ制御基板２１からの制御信号に基づいて表示操作画面６３ａに表示する画像の描画処理を実行し、表示装置６３に画像を表示させる。
【００７７】
入出力基板２３は、コイン処理装置６１、タッチパネル６３ｆ、カードリーダ６４等から受信した信号を所定の形式に変換してサブ制御基板２１に送信処理を行うとともに、サブ制御基板２１からの制御信号をカードベンダ６５に受け渡す。なお、カードベンダ６５は、予め複数のゲームカードをストックしており、上記制御信号に従って、上記複数のゲームカードの中からランダムにより選択したゲームカードを排出するものである。
【００７８】
なお、表示装置６３は、表示操作画面６３ａと、当該表示操作画面６３ａを覆うタッチパネル６３ｆを有しており、例えば、表示操作画面６３ａは、液晶ディスプレイやＣＲＴなどの任意の表示装置により構成することが可能であり、タッチパネル６３ｆには、抵抗膜方式や静電容量方式など任意のタイプのものを使用することが可能である。
【００７９】
印刷制御基板２４は、サブ制御基板２１からの制御信号に基づいてカメラ装置４６で撮影され、記憶装置２５などに記憶されている画像データに基づいて遊戯中の子供を撮影した画像を印刷装置６６に印刷させる制御を実行する。
【００８０】
記憶装置２５は、操作装置６の表示操作画面６３ａに表示させる画面データ（例えば、図４に示す画面を表示させるデータ）や、カメラ装置４６の撮影により取得した画像データなどを格納するための記憶媒体であり、ハードディスク、フラッシュメモリなどで構成することができる。
【００８１】
インタフェース基板２６は、メイン制御基板１１とサブ制御基板２１との間で制御信号やデータ信号などの受け渡しを行うインタフェース基板である。
【００８２】
図６は、メイン制御基板１１のＣＰＵが記憶装置１８に格納された遊戯プログラムＰをＲＡＭ上において展開、実行することにより実現される機能構成を示す説明図である。
【００８３】
図示されるように、遊戯処理部８０は、後述のフローチャートにおける処理を実行するためのコイン投入受付部８１、カート位置検知部８２、カート固定部８３、カード排出部８４、カード読取部８５、演出画像表示部８６ａ及び演出音声出力部８６ｂ及び揺動部８６ｃ及び計時部８６ｄを有する遊戯実行部８６、子供撮影部８７、子供画像表示部８８、操作受付部８９、印刷処理部９０等を備えている。
【００８４】
図７は、搭乗型遊戯装置１において実行される所定の遊戯処理の流れを示すフローチャートである。
【００８５】
搭乗型遊戯装置１は、ステップＳ１において、電源が投入されると、各種遊戯変数の初期化などのセットアップ処理がなされ、それ以降、ステップＳ２において、所定の遊戯料金（１００円コイン）の投入を待ち受けるコイン投入待受処理が実行される。
【００８６】
上記ステップＳ２において、コイン投入受付部８１が、コイン処理装置６１からの所定遊戯料金（１００円コイン）の投入を検知した検知信号を受信すると、続いて、ステップＳ３において、カート位置検査が行われる。本実施形態では、カート位置検知部８２が動作して、各車輪固定溝４１に設置された位置検知センサ４３からの検知信号に基づいて、保護者によりカート乗載面４ａに乗載されたカート１００の４つの車輪１０１がそれぞれ対応した車輪固定溝４１に収容されているか否かの判定が行われる。
【００８７】
そして、各位置検知センサ４３からの検知信号に基づいて４つの車輪１０１の全てがそれぞれ対応した車輪固定溝４１に収容されていると判定された場合には、ステップＳ４において、カート固定部８３が動作して、所定のカート固定信号をカート固定機構５に送信する。これにより、カート固定機構５が動作し、カート乗載面４ａに乗載されたカート１００の台座フレーム１０２ａの係合部１０６を係合部材５１で把持して固定する。なお、各位置検知センサ４３からの検知信号に基づいて４つの車輪１０１の全てがそれぞれ対応した車輪固定溝４１に収容されていないと判定された場合には、表示装置６３及び／又はスピーカ４５から「全ての車輪が車輪溝に収容されるようにカートを載置して下さい」などのメッセージが出力される。
【００８８】
上記ステップＳ４のカート固定処理によりカート１００の固定が正常に完了した場合に、続いて、ステップＳ５において、カード排出部８４が動作して所定のカード排出信号をカードベンダ６５に送信する。これにより、カードベンダ６５が動作し、予めストックされている複数のゲームカードの中からランダムに選択した１枚のゲームカードをカード払出口６５ａから排出する。なお、この時、表示装置６３及び／又はスピーカ４５から「カードを取って下さい」などのメッセージが出力される。
【００８９】
続いて、表示装置６３及び／又はスピーカ４５から「カードをスキャンして下さい」などのメッセージが出力されるとともに、カードリーダ６４がスタンバイとなり、ステップＳ６において、カード読取部８５によるゲームカードのスキャンが待ち受けられる。
【００９０】
そして、カード払出口６５ａから排出されたゲームカード又は保護者の手持ちのゲームカードのスキャンが行われると、カード読取部８５がカードリーダ６４で読み取ったカードデータを遊戯実行部８６に送信する。このステップにおいてカードスキャンが所定時間行われなかった場合、所定のカードデータが読み込まれた扱いとして次のステップに進む。また、その場合のカードは例えば既存のカードのうち何れかのカードデータが選択されるようにしてもよい。
【００９１】
続いて、ステップＳ７において、遊戯実行部８６が動作して、乗物遊具４を所定時間揺動させる所定の遊戯処理が実行される。即ち、このステップＳ７の処理では、カード読取部８５から受信したカードデータに基づいて選択されるシナリオなどに対応した遊戯演出画像の表示、音声の出力及びそれら演出に対応した乗物遊具４の揺動動作を行うための所定の遊戯処理が実行される。
【００９２】
より具体的には、遊戯実行部８６では、演出画像表示部８６ａが動作して所定の表示信号（予めカードデータ毎に対応付けられた背景やフレームなどを指定する信号）を画像処理基板１５に送信することにより、画像処理基板１５が動作し、表示装置４４に所定の演出画像を表示するとともに、演出音声出力部８６ｂが動作して所定の出力信号（予めカードデータ毎に対応付けられたＢＧＭなどを指定する信号）を音声処理基板１６に送信することにより、音声処理基板１６が動作し、スピーカ４５から所定の演出音声を出力する。また、揺動部８６ｃが動作して所定の揺動信号（予めカードデータ毎に対応付けられた揺動パターンを指定する信号）を揺動制御基板１２に送信することにより、揺動制御基板１２が動作し、揺動機構３の駆動装置の駆動を制御して駆動軸を駆動することで乗物遊具４が揺動される。例えば、入力されたカードデータが「パトカー」の場合であれば、演出画像表示として画像表示部にパトカーと警察官の画像を表示し、演出音声として音声処理基板からパトカーのサイレン音を出力したりすることができる。また例えば入力されたカードデータが「機関車」の場合であれば、画像・音声演出に加えてスモークを出すような特殊演出をしたり、ガタンゴトンという機関車・列車に特有の震動を揺動制御基板を通じて駆動軸の揺動を他のカードデータよりも強調するようなこともできる。
【００９３】
なお、上記ステップＳ７の処理においては、子供撮影部８７が動作して、所定の撮影開始信号を撮影制御基板１７に送信することにより、撮影制御基板１７が動作し、カメラ装置４６に撮影を行わせるとともに、子供画像表示部８８が動作して、上記カメラ装置４６の撮影により取得され記憶装置２５などに格納された画像データに基づいて、表示装置６３に遊戯中の子供の監視画像を表示させる。即ち、本実施形態の搭乗型遊戯装置１では、保護者が遊戯中の子供の状態を監視できるようになっている。
【００９４】
そして、所定時間が経過すると、演出画像表示部８６ａ、演出音声出力部８６ｂ及び揺動部８６ｃが所定の終了信号を画像処理基板１５、音声処理基板１６及び揺動制御基板１２にそれぞれ送信することにより、ここでの遊戯処理を終了させる。
【００９５】
続いて、ステップＳ８において、所定時間が経過した（即ち、遊戯終了である）と判定された場合に、上記ステップＳ７の所定の遊戯処理を終了し、続いて、ステップＳ９において、カート固定部８３が動作して、所定のカート固定解除信号をカート固定機構５に送信する。これにより、カート固定機構５が動作し、係合部材５１による係合部１０６の把持が解除され、カート１００の固定が解除される。続いて、次の遊戯を実行するため、処理をステップＳ２に復帰させる。
【００９６】
また、上記ステップＳ７の処理においては、上述の乗物遊具４の揺動処理と並行して、保護者による所定の入力操作（遊戯一時停止の操作や遊戯強制終了の操作など）を待ち受け、受け付けた入力操作に対応した所定の処理（遊戯一時停止処理や遊戯強制終了処理など）を実行するようになっている。
【００９７】
図８は、上記ステップＳ７の処理において、揺動処理と並行して実行される保護者入力操作の待受け処理の流れを示すフローチャートである。
【００９８】
図示されるように、上記ステップＳ７の揺動処理と並行して、ステップＳ２０において、操作受付部８９が動作して、上述の所定時間中に保護者による遊戯一時停止の操作や遊戯強制終了の操作などの所定の入力操作の待ち受けを実行する。
【００９９】
ステップＳ２０において、操作受付部８９が、休憩ボタン６３ｃ（図４参照）をタッチするような遊戯一時停止の操作を受け付けると、ステップＳ２１において、遊戯一時停止処理が実行される。具体的には、このステップＳ２１の処理では、操作受付部８９が、所定の停止信号を遊戯実行部８６に送信する。これにより、遊戯実行部８６の揺動部８６ｃが揺動制御基板１２に所定の停止信号を送信し、揺動制御基板１２の制御により駆動軸の駆動が一時停止される。なお、この時には、演出画像表示部８６ａ及び演出音声出力部８６ｂも動作して、画像処理基板１５、音声処理基板１６にそれぞれ所定の停止信号を送信することにより、画像処理基板１５、音声処理基板１６の制御により表示装置４４の表示と、スピーカ４５からの音声出力とが一時停止される。
【０１００】
その後、ステップＳ２２及びステップＳ２３において、操作受付部８９が、上記遊戯一時停止の操作を再度受け付けるか、或いは、最初の遊戯一時停止の操作を受け付けてから所定時間（例えば、１０秒など）が経過したかを監視し、この監視の結果、遊戯一時停止の操作を再度受け付けた場合或いは所定時間（１０秒）が経過した場合に、ステップＳ２４において、遊戯再開処理が実行される。具体的には、このステップＳ２４の処理では、操作受付部８９が、所定の再開信号を遊戯実行部８６に送信することにより、遊戯実行部８６の揺動部８６ｃが揺動制御基板１２に所定の再開信号を送信し、揺動制御基板１２の制御により駆動軸の駆動が再開される。なお、この時には、演出画像表示部８６ａ及び演出音声出力部８６ｂが動作して、画像処理基板１５及び音声処理基板１６にそれぞれ所定の再開信号を送信することにより、画像処理基板１５及び音声処理基板１６の制御により表示装置４４の表示及びスピーカ４５からの音声出力が再開される。
【０１０１】
その後、上記ステップＳ２５において、遊戯実行部８６の計時部８６ｄにおける所定時間の計時が完了していない（即ち、遊戯終了でない）と判定された場合には、処理を上記ステップＳ２０に復帰させる。なお、上記計時部８６ｄにおける所定時間の計時が完了した（即ち、遊戯終了である）と判定された場合には、ここでの保護者による入力操作の待ち受け処理が終了される、即ち、ステップＳ７の遊戯処理が終了される。
【０１０２】
ステップＳ２０において、操作受付部８９が、終了ボタン６３ｄ（図４参照）をタッチするような遊戯強制終了の操作を受け付けると、ステップＳ２６において、ステップＳ７における遊戯処理を強制的に終了させる処理が実行される。即ち、ステップＳ２６においては、操作受付部８９が、所定の終了信号を遊戯実行部８６に送信することにより、遊戯実行部８６が実行中の処理を全てキャンセルし、遊戯を終了させる。より具体的には、演出画像表示部８６ａが動作して、所定の終了信号を画像処理基板１５に送信することにより、画像処理基板１５が表示装置４４における遊戯演出画像の表示を中止するとともに、演出音声出力部８６ｂが動作して、所定の終了信号を音声処理基板１６に送信することにより、音声処理基板１６がスピーカ４５からの遊戯演出音声の出力を中止する。また、揺動部８６ｃが動作して、所定の終了信号を揺動制御基板１２に送信することにより、揺動制御基板１２の制御により揺動機構３の揺動が中止される。
【０１０３】
上述のように、保護者による遊戯一時停止の操作や遊戯強制終了の操作を受け付けることにより、子供画像表示部６３ｂに表示される画像によって、子供が怖がって泣いていたり、子供の異常を発見した場合などに、保護者の操作に応じて遊戯を一時停止又は強制終了させることができる。
【０１０４】
また、本実施形態では、上述の一連の遊戯処理が終了したタイミングなどにおいて、所定時間に渡って保護者による写真印刷の操作の受付が可能となっており、保護者が印刷ボタン６３ｅ（図４参照）をタッチするなどの操作を行うことにより、印刷処理部９０が動作して、記憶装置２５に格納されている画像データに基づき表示装置６３に表示操作画面６３ａにおいて印刷候補となる複数の画像を含む画面を表示させる。続いて、保護者によるタッチ操作により特定される画像に対応した画像データを印刷装置６６に出力することにより、印刷装置６６が動作して保護者の所望する画像が印刷された写真が排出される。なお、写真印刷の操作の受付のタイミングは、上述の遊戯終了後以外にも、遊戯中などにすることもできる。
【０１０５】
上述のように、保護者の写真印刷の操作を受け付けることにより、保護者が所望する画像（子供が遊戯を楽しんでいる画像）が印刷された写真を当該保護者に提供することができる。
【０１０６】
即ち、上記実施形態の搭乗型遊戯装置１によれば、子供が搭乗したカート１００を乗物遊具４に乗載させ、当該カート１００に搭乗した子供に、揺動などの所定の遊戯動作を体感させることができるので、カート１００に搭乗した子供に遊戯を行わせる場合の保護者の負担を軽減することができ、その結果、従来に比べて搭乗型遊戯装置の稼働率を向上させることが可能となる。また、乗物遊具４から子供が着席する座席や子供を座席に固定する固定具などを省略することができ、その結果、安価に製造できるとともに、メインテナンス費用を低減させることが可能となる。
【０１０７】
以上、例示的な実施形態に基づいて本発明を説明したが、本発明は上記実施形態により限定されるものではなく、特許請求の範囲の記載内において種々の変更、改変を行うことが可能である。
【０１０８】
例えば、上記実施形態では、定置式の搭乗型遊戯装置について説明したが、これ以外にも、移動式の搭乗型遊戯装置に適用しても良いものとする。具体的には、図９及び図１０に示されるように、機関車などの形状の車両装置（駆動機構）３００に、カート１００を乗載して移動できる車輪付きの乗載部材４００を所定のレール（軌道）部材８００上で牽引させる移動式の搭乗型遊戯装置に適用しても良い。
【０１０９】
なお、この形態においても、上記実施形態で示した操作装置６（例えば、図４参照）と同様の操作装置６００を設置し、操作装置６００が、上記乗載部材４００に設置されたカメラ装置４６により撮影された遊戯中の子供の監視画像の画像データを無線などにより受信して子供画像表示部６３ｂに表示させる。このような構成により、定置式の搭乗型遊戯装置のように、保護者の傍に常に子供がいる形態とは異なり、保護者から離れた位置に子供が移動してしまう移動式の搭乗型遊戯装置においても、常に子供の様子を確認できることにより、保護者の不安を解消することができる。特に、模型トンネル９００を通過するなどの保護者の視界から全く見えなくなるような場合においても、子供の様子を確認できることで保護者の不安を解消することができる。
【０１１０】
また、上記移動式の搭乗型遊戯装置においては、一つの乗載部材４００のみを備える形態について示したが、これ以外にも、例えば、複数の乗載部材４００を連結して、複数の利用者が１度に利用できる形態にしても良い。
【０１１１】
更に、上記移動式の搭乗型遊戯装置のように、所定のレール部材上を移動する形態以外にも、所定のレール部材などは設置せずに、平坦な設置面などの上で予め定められた走行（直進、ジグザグ、回転等）を行う形態の移動式の搭乗型遊戯装置に適用しても良い。
【０１１２】
また、上記実施形態では、保護者が同乗できない形態について説明したが、これ以外にも、例えば、保護者が同乗できる形態としても良い。具体的には、カート１００の乗載位置の後方、或いは、左右いずれかの方向などに保護者用の搭乗位置を設けるとともに、保護者用のシートベルトなどの固定具などを設ける。これにより、保護者が同乗しないと落ち着かない子供などの場合には、保護者が同乗することができるので、安心して遊戯を楽しませることができるし、親子揃って楽しむこともできる。即ち、この構成によると、上記実施形態よりも製造コストはかかるものの、カート１００ごと子供を乗載させることができるので、カート１００と子供の両方を同位置にて監視することができ、これにより、カート１００に搭乗した子供に遊戯を行わせたい保護者にとって使い勝手の良い搭乗型遊戯装置を提供することが可能である。
【０１１３】
また、上記実施形態では、搭乗型遊戯装置１の乗物遊具４側に、カート１００を固定するカート固定機構５が設置される形態について説明したが、これ以外にも、例えば、カート１００側にカート固定機構５を設置するとともに、そのカート固定機構５と係合する係合部を乗物遊具４側に設置し、所定の遊戯料金（１００円コイン）が投入された場合に、位置検知センサ４３が動作して、カート１００が所定の乗載位置に乗載されているかどうかを検査して、上記乗載位置に乗載されている場合に、上記カート固定機構５を動作させる信号を無線手段を介して発信し、これを受信した上記カート固定機構５が動作することにより、当該カート１００を乗物遊具４に固定する形態としても良い。
【０１１４】
また、上記実施形態では、ショッピングセンターに常備されるカート１００として、全てのカート１００で共通のキャラクタ（キャラクタ人形やキャラクタ絵柄で特定されるキャラクタ）が割り当てられた形態について説明したが、これ以外にも、全てのカート１００に共通のキャラクタが割り当てられるのではなく、複数種類のキャラクタのいずれかが個別に割り当てられる形態において、カート側に取り付けられた記憶媒体に記憶されたキャラクタ種別のＩＤ情報を読み取るなどによりカートの種類を自動的に判別する判別手段を搭乗型遊戯装置１に新たに設け、上記判別手段により特定されたカート種類に応じて遊戯演出（遊戯演出画像や遊戯演出音声など）をキャラクタ別に変更するような形態とするともできる。
【０１１５】
また、上記実施形態では、好ましい例として、乗物遊具４のカート乗載面４ａに車輪固定溝４１及び車輪案内溝４２を形成し、表示装置４４、カメラ装置４６、操作装置６及びカート案内台７を備える形態について説明したが、これ以外にも、例えば、搭乗型遊戯装置の簡略化を図る目的で、上記いずれかの構成要素或いは全ての構成要素を省略するともできる。
【０１１６】
その他、上記した実施形態における装置構成や機能構成、具体的な処理の内容、ゲーム画面の態様等は単なる例として記載したものであり、本発明はこれらにより限定されない。
【図面の簡単な説明】
【０１１７】
【図１】本発明の１実施形態に係る搭乗型遊戯装置の外観構成を示す斜視説明図。
【図２】搭乗型遊戯装置の外観構成を示す側面視説明図。
【図３】カートの外観構成を示す斜視説明図。
【図４】操作装置の外観構成を示す斜視説明図。
【図５】搭乗型遊戯装置のハードウェア構成を示す説明図。
【図６】本発明に係る遊戯プログラムをＲＡＭ上において展開、実行することにより実現される機能構成を示す説明図。
【図７】搭乗型遊戯装置において実行される処理の流れを示すフローチャート。
【図８】搭乗型遊戯装置において実行される処理の流れを示すフローチャート。
【図９】他の実施形態に係る搭乗型遊戯装置の外観構成を示す斜視説明図。
【図１０】他の実施形態に係る搭乗型遊戯装置の外観構成を示す側面視説明図。
【符号の説明】
【０１１８】
１・・・搭乗型遊戯装置、２・・・基台、３・・・揺動機構、４・・・乗物遊具、４Ａ・・・フロアボディ、４Ｂ・・・フロントボディ、５・・・カート固定機構、６・・・操作装置、７・・・カート案内台、１００・・・カート、４ａ・・・カート乗載面、４１・・・車輪溝、４２・・・車輪案内溝、４３・・・位置検知センサ、４ｂ・・・インタフェース面、４４ａ・・・表示画面、４５ａ・・・スピーカ口、４６ａ・・・撮影口、６１ａ・・・コイン投入口、６２ａ・・・返却ボタン、６３ａ・・・表示操作画面、６４ａ・・・カード読取口、６５ａ・・・カード払出口、６６ａ・・・写真排出口、６７ａ・・・コイン返却口、１０・・・メイン制御装置、２０・・・サブ制御装置、３０・・・電源装置、４４・・・表示装置、４５・・・スピーカ、４６・・・カメラ装置、６４・・・カードリーダ、６５・・・カードベンダ、６１・・・コイン処理装置、６３・・・表示装置、６３ｆ・・・タッチパネル
【図１】
2009273740.tif 000003
【図２】
2009273740.tif 000004
【図３】
2009273740.tif 000005
【図４】
2009273740.tif 000006
【図５】
2009273740.tif 000007
【図６】
2009273740.tif 000008
【図７】
2009273740.tif 000009
【図８】
2009273740.tif 000010
【図９】
2009273740.tif 000011
【図１０】
2009273740.tif 000012